(57)【要約】【課題】発光源モジュールにより照射角度を有効に高めることにより照明範囲を広げることができる上、簡便に製造したり組み立てたりすることができるＬＥＤランプの発光源モジュールを提供する。【解決手段】ＬＥＤランプの発光源モジュール１は、ランプコア１１を含む。ランプコア１１には、装着表面１１１が突設される。装着表面１１１には、複数のＬＥＤ光源１１３が設けられるとともに、導電線路１１２が形成される。ＬＥＤ光源１１３と導電線路１１２とにより電子回路が形成され、ＬＥＤ光源１１３が発光すると、ＬＥＤランプの照射角度が全方位の照射角度となる。装着表面１１１は、突出された半球形状又は多辺形状であり、ランプヘッド、放熱体及び発光源モジュールを含む。ランプヘッドの端部には、放熱体が設けられる。放熱体の端部には、発光源モジュール１が設けられる。【選択図】図１
0003177425.tif 000002
【実用新案登録請求の範囲】
【請求項１】
ランプコアを含むＬＥＤランプの発光源モジュールであって、前記ランプコアには、装着表面が突設され、前記装着表面には、複数のＬＥＤ光源が設けられるとともに、導電線路が形成され、前記ＬＥＤ光源と前記導電線路とにより電子回路が形成され、前記ＬＥＤ光源が発光すると、前記ＬＥＤランプの照射角度が全方位の照射角度となることを特徴とする発光源モジュール。
【請求項２】
前記装着表面は、突出された半球形状又は多辺形状であることを特徴とする請求項１に記載の発光源モジュール。
【請求項３】
ランプヘッド、放熱体及び請求項１記載の発光源モジュールを含み、
前記ランプヘッドの端部には、前記放熱体が設けられ、
前記放熱体の端部には、前記発光源モジュールが設けられることを特徴とするＬＥＤランプ。
【考案の詳細な説明】
【技術分野】
【０００１】
本考案は、ＬＥＤランプの発光源モジュールに関し、特に、照射角度が大きなＬＥＤランプに関する。
【背景技術】
【０００２】
ＬＥＤ（発光ダイオード）は、高効率、長寿命、小型、高耐久性、高速反応などの長所を有するため、科学技術の発展に伴い、従来の光源は、ＬＥＤを光源として用いるランプにより次第に取って代わられている。
【０００３】
特許文献１では、ランプ凹部内にキャビティが設けられ、このキャビティ内には、ＬＥＤ光源セットを有する第１の受板が固設される技術が開示されている。
【０００４】
特許文献２では、基板、光学部品がヒートシンクの収納空間内へ設置される技術が開示されている。
【０００５】
特許文献３では、回路基板と、回路基板上に設置されたＬＥＤとによりＬＥＤモジュールが構成され、このＬＥＤモジュールは、放熱フィンが設けられた熱伝導プレート上に固定される技術が開示されている。
【０００６】
特許文献４では、ＬＥＤ電球のＬＥＤモジュールが、設置ベースに固定されるとともに、電源変換器と電気的に接続され、放熱体の側部に設置ベースが設けられる技術が開示されている。
【０００７】
しかし、上述した特許文献１〜４は、それぞれＬＥＤを発光源とするランプであり、ＬＥＤが同一の水平面にそれぞれ設置され、各ＬＥＤの最大有効照射角度が約１２０度であり、それら従来技術では多数のＬＥＤが使用されているが、ランプ全体の照射角度には限界があり、照明として使用する上で欠点となっていた。
【０００８】
そのため、従来のＬＥＤランプの照射角度が小さすぎるという欠点を克服することができるＬＥＤランプの発光源モジュールが求められていた。
【先行技術文献】
【特許文献】
【０００９】
【特許文献１】台湾実用新案登録第４２５２３６号公報
【特許文献２】台湾実用新案登録第４２４６１７号公報
【特許文献３】台湾実用新案登録第４１７４９７号公報
【特許文献４】台湾実用新案登録第４０８６６２号公報
【考案の概要】
【考案が解決しようとする課題】
【００１０】
本考案の目的は、発光源モジュールにより照射角度を有効に高めることにより照明範囲を広げることができる上、簡便に製造したり組み立てたりすることができるＬＥＤランプの発光源モジュールを提供することにある。
【課題を解決するための手段】
【００１１】
上記課題を解決するために、本考案の第１の形態によれば、ランプコアを含むＬＥＤランプの発光源モジュールであって、前記ランプコアには、装着表面が突設され、前記装着表面には、複数のＬＥＤ光源が設けられるとともに、導電線路が形成され、前記ＬＥＤ光源と前記導電線路とにより電子回路が形成され、前記ＬＥＤ光源が発光すると、前記ＬＥＤランプの照射角度が全方位の照射角度となることを特徴とする発光源モジュールが提供される。
【００１２】
前記装着表面は、突出された半球形状又は多辺形状であることが好ましい。
【００１３】
ランプヘッド、放熱体及び請求項１記載の発光源モジュールを含み、前記ランプヘッドの端部には、前記放熱体が設けられ、前記放熱体の端部には、前記発光源モジュールが設けられることが好ましい。
【考案の効果】
【００１４】
本考案のＬＥＤランプの発光源モジュールは、発光源モジュールにより照射角度を有効に高めることにより照明範囲を広げることができる上、簡便に製造したり組み立てたりすることができる。
【図面の簡単な説明】
【００１５】
【図１】本考案の一実施形態に係る発光源モジュールを示す斜視図である。
【図２】本考案の一実施形態に係る発光源モジュールをＬＥＤランプに応用したときの状態を示す斜視図である。
【図３】本考案の一実施形態に係る発光源モジュールをＬＥＤランプに応用したときの状態を示す側面図である。
【図４】本考案の他の実施形態に係る発光源モジュールをＬＥＤランプに応用したときの状態を示す斜視図である。
【考案を実施するための形態】
【００１６】
図１及び図２を参照する。図１及び図２に示すように、本考案の一実施形態に係るＬＥＤランプの発光源モジュールは、ランプコア（ｌａｍｐ  ｃｏｒｅ）１１を含む。このランプコア１１は、合金材料又はセラミックからなり、突設された装着表面１１１を有する。この装着表面１１１は、図１に示すように、突出した多辺形状でもよいし、図４に示すように、突出した半球状でもよい。装着表面１１１が突出した多辺形状である場合、ランプコア１１も多辺形状の立体構造に形成される。図１を参照する。図１に示すように、ランプコア１１は、六辺形状の立体構造であり、装着表面１１１は、６面の側部装着面１１１１及び頂端装着面１１１２を含む。各側部装着面１１１１は、傾けて設けられ、その先端縁のそれぞれが頂端装着面１１１２の各辺に対応して接続されている。ランプコア１１の装着表面１１１上には、導電線路１１２が形成され、装着表面１１１上にＬＥＤ光源１１３が設けられている。各ＬＥＤ光源１１３は、導電線路１１２と電気的に接続され、電子回路を構成している。
【００１７】
本実施形態の発光源モジュール１は、放熱体２の一端に設けられている。放熱体２の他端にはランプヘッド３が設けられ、ＬＥＤランプは、図２及び図３に示すように形成される。
【００１８】
ＬＥＤランプのランプコア１１上のＬＥＤ光源１１３が発光すると、装着表面１１１の側部装着面１１１１及び頂端装着面１１１２上にＬＥＤ光源１１３が設置され、各側部装着面１１１１及び頂端装着面１１１２はそれぞれ異なる方向に向けて設置されている。特に、ランプコア１１の軸方向に対して周設されているため、ＬＥＤランプの照射角度が２７０度以上の全方位の照射角度となり、照明範囲を広げることができる。図４を参照する。図４に示すように、ランプコア１１の装着表面１１１が突出した半球状である場合、その表面に設置されたＬＥＤ光源１１３は、導電線路１１２と導電回路を構成し、このＬＥＤランプの照射角度も同様に２７０度以上の全方位の照射角度となり、照明範囲を広げることができる。
【００１９】
上述した本考案の好適な実施形態に係るＬＥＤランプの発光源モジュールは、放熱体２をランプカバー４に結合させ、ＬＥＤ光源１１３が設けられたランプコア１１をランプカバー４により覆うことにより、ＬＥＤ光源１１３の光線がランプカバー４を透過すると屈折して均一となる。
【００２０】
本実施形態のＬＥＤランプの発光源モジュールは、放熱体２の表面に複数の放熱フィン２１が設けられている。これら放熱フィン２１は、放熱体２の放熱表面積を増やして放熱効果を高めることができる。
【００２１】
上述した本実施形態のＬＥＤランプの発光源モジュールは、放熱体２とランプコア１１とを接合させた後に超音波溶接又は高周波溶接により一体化させ、放熱体２とランプコア１１との間の熱伝導率を高めて放熱を迅速に行うことができる。
【００２２】
本考案の一実施形態に係るＬＥＤランプの発光源モジュールは、ランプコア１１上にＬＥＤ光源１１３を取り付け、対応するように設けた固定孔１１４にＬＥＤ光源１１３を取り付けて固定する。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１  発光源モジュール
２  放熱体
３  ランプヘッド
４  ランプカバー
１１  ランプコア
２１  放熱フィン
１１１  装着表面
１１２  導電線路
１１３  ＬＥＤ光源
１１４  固定孔
１１１１  側部装着面
１１１２  頂端装着面
【図１】
0003177425.tif 000003
【図２】
0003177425.tif 000004
【図３】
0003177425.tif 000005
【図４】
0003177425.tif 000006